(57)【特許請求の範囲】
【請求項１】
リーダライタを使用して所望のＲＦＩＤタグを探索するＲＦＩＤタグシステムであって、
ＲＦＩＤタグは、
ＲＦＩＤチップと、
前記ＲＦＩＤチップに接続されたアンテナであって、リーダライタより送信された信号電波が照射された場合に発生する電気信号を当該ＲＦＩＤチップに供給するとともに、当該ＲＦＩＤチップより送信される電気信号を信号電波として送信するアンテナである第一タグアンテナと、
前記第一タグアンテナとは異なるアンテナである第二タグアンテナと、
前記ＲＦＩＤタグを識別するためのＩＤである識別ＩＤを記憶するタグ記憶手段と、
リーダライタより送信された信号電波が前記第二タグアンテナに対して照射された場合に発生する電気信号を復調して受信するタグ受信手段と、
報知を行うタグ報知手段と、
前記タグ受信手段にて復調され受信された信号に基づき、前記タグ報知手段を制御して報知を実行させるタグ制御手段と、
前記タグ受信手段、前記タグ報知手段、及び前記タグ制御手段を駆動させるための電力を供給するタグ電力供給手段であって、リーダライタより送信された信号電波が前記第二タグアンテナに照射された場合に発生する電気信号から電力を生成するタグ電力供給手段とを備え、
前記ＲＦＩＤチップは、
前記ＲＦＩＤチップを識別するためのＩＤである固有ＩＤ を記憶するチップ記憶手段と、
前記第一タグアンテナにて発生した電気信号を復調し受信するチップ受信手段と、
前記第一タグアンテナに対して変調した電気信号を送信し、当該第一タグアンテナより信号電波を送信させるチップ送信手段とを備え、
リーダライタは、
前記ＲＦＩＤタグを識別するための識別ＩＤと、前記ＲＦＩＤチップを識別するための固有ＩＤ とを対応付けて記憶するＲ／Ｗ記憶手段と、
前記第一タグアンテナにて送受信可能な周波数を用いて信号電波の送受信を行う第一Ｒ／Ｗアンテナと、
変調した信号を前記第一Ｒ／Ｗアンテナより信号電波として送信させる第一Ｒ／Ｗ送信手段と、
前記第一Ｒ／Ｗアンテナに発生する電気信号を復調し受信する第一Ｒ／Ｗ受信手段と、
前記第二タグアンテナにて送受信可能な周波数を用いて信号電波を送受信するアンテナであって、前記ＲＦＩＤタグとの間の距離が、前記第一Ｒ／Ｗアンテナと前記ＲＦＩＤタグとの間の距離よりも短い位置に配置されるアンテナである第二Ｒ／Ｗアンテナと、
変調した信号を前記第二Ｒ／Ｗアンテナより信号電波として送信させる第二Ｒ／Ｗ送信手段と
を備えたことを特徴とするＲＦＩＤタグシステム。
【請求項２】
前記リーダライタは、
所望のＲＦＩＤタグに内蔵されている前記ＲＦＩＤチップを識別するための固有ＩＤ を指定した信号である固有ＩＤ 指定信号を変調した後、前記第一Ｒ／Ｗ送信手段にて前記ＲＦＩＤタグに対して送信し、
前記ＲＦＩＤタグは、
前記第一タグアンテナにて発生した電気信号を前記チップ受信手段にて復調して受信し、
前記チップ受信手段にて復調され受信された結果の信号が固有ＩＤ 指定信号であり、且つ、当該固有ＩＤ 指定信号にて指定された固有ＩＤ と、前記チップ記憶手段に記憶されている固有ＩＤ とが所定の関係を満たす場合に、前記チップ送信手段にて返答信号を変調して送信し、
前記リーダライタは、
前記第一Ｒ／Ｗ送信手段にて送信された固有ＩＤ 指定信号に応じて所望のＲＦＩＤタグより返信された返答信号を第一Ｒ／Ｗ受信手段にて復調し受信した場合に、当該返答信号を送信したＲＦＩＤタグが有する識別ＩＤを、Ｒ／Ｗ記憶手段を参照して抽出し、
抽出した識別ＩＤを指定した信号である識別ＩＤ指定信号を変調した後、前記第二Ｒ／Ｗ送信手段にて前記ＲＦＩＤタグに対して送信し、
前記ＲＦＩＤタグでは、
前記リーダライタの前記第二Ｒ／Ｗ送信手段にて送信された信号電波が前記第二タグアンテナに照射されることにより、タグ電力供給手段が、前記タグ受信手段、前記タグ報知手段、及び前記タグ制御手段を駆動させるための電力を生成した後、
前記タグ受信手段が、
前記第二タグアンテナにて発生した電気信号を復調して受信し、
前記タグ受信手段にて復調され受信された結果の信号が、識別ＩＤを指定した信号である識別ＩＤ指定信号であり、且つ、当該識別ＩＤと、前記タグ記憶手段に記憶されている識別ＩＤとが所定の関係を満たす場合に、前記タグ制御手段が、前記タグ報知手段を制御して報知を実行させることを特徴とする請求項１に記載のＲＦＩＤタグシステム。
【発明の詳細な説明】
【技術分野】
【０００１】
本発明はＲＦＩＤタグシステムに関する。そしてより詳細には、ＲＦＩＤタグが備える報知手段にて報知を実行するために必要な電力をリーダライタより効率的に供給することが可能なＲＦＩＤタグシステムに関する。
【背景技術】
【０００２】
近年、ＲＦＩＤ（Ｒａｄｉｏ  Ｆｒｅｑｕｅｎｃｙ  ＩＤｅｎｔｉｆｉｃａｔｉｏｎ）タグを物品に貼り付け、これをリーダライタにて読み取ることにより、物品の流通管理が行われている。また、ＲＦＩＤタグにＬＥＤやブザーなどの報知手段を付加し、リーダライタにて特定のＲＦＩＤタグの報知手段を反応させて報知を実行させることにより、複数のＲＦＩＤタグの中から所望のＲＦＩＤタグを見つけ出すことが可能なＲＦＩＤタグ及び当該ＲＦＩＤタグを使用した物品検索システム、物品収納システムが提案されている。
【特許文献１】特開２００６−２４０１８号公報
【発明の開示】
【発明が解決しようとする課題】
【０００３】
しかしながら、ＲＦＩＤタグに付加されるＬＥＤやブザーなどの報知手段は、一般的に消費電力が大きい。従って、当該報知手段の駆動電力を、アンテナへの電波照射による電磁誘導に基づいて生成させるためには、外部より非常に強い電波を照射しなければならず問題であった。
【０００４】
本発明は上述の問題を解決するためになされたものであり、ＲＦＩＤタグが備える報知手段を駆動するためにアンテナに照射する電波の電力を抑制しつつ、ＬＥＤやブザーなどの報知手段にて報知を実行させることが可能なＲＦＩＤタグシステムを提供することを目的とする。
【課題を解決するための手段】
【０００５】
上記課題を解決するために、請求項１に係る発明のＲＦＩＤタグシステムは、リーダライタを使用して所望のＲＦＩＤタグを探索するＲＦＩＤタグシステムであって、ＲＦＩＤタグは、ＲＦＩＤチップと、前記ＲＦＩＤチップに接続されたアンテナであって、リーダライタより送信された信号電波が照射された場合に発生する電気信号を当該ＲＦＩＤチップに供給するとともに、当該ＲＦＩＤチップより送信される電気信号を信号電波として送信するアンテナである第一タグアンテナと、前記第一タグアンテナとは異なるアンテナである第二タグアンテナと、前記ＲＦＩＤタグを識別するためのＩＤである識別ＩＤを記憶するタグ記憶手段と、リーダライタより送信された信号電波が前記第二タグアンテナに対して照射された場合に発生する電気信号を復調して受信するタグ受信手段と、報知を行うタグ報知手段と、前記タグ受信手段にて復調され受信された信号に基づき、前記タグ報知手段を制御して報知を実行させるタグ制御手段と、前記タグ受信手段、前記タグ報知手段、及び前記タグ制御手段を駆動させるための電力を供給するタグ電力供給手段であって、リーダライタより送信された信号電波が前記第二タグアンテナに照射された場合に発生する電気信号から電力を生成するタグ電力供給手段とを備え、前記ＲＦＩＤチップは、前記ＲＦＩＤチップを識別するためのＩＤである固有ＩＤ を記憶するチップ記憶手段と、前記第一タグアンテナにて発生した電気信号を復調し受信するチップ受信手段と、前記第一タグアンテナに対して変調した電気信号を送信し、当該第一タグアンテナより信号電波を送信させるチップ送信手段とを備え、リーダライタは、前記ＲＦＩＤタグを識別するための識別ＩＤと、前記ＲＦＩＤチップを識別するための固有ＩＤ とを対応付けて記憶するＲ／Ｗ記憶手段と、前記第一タグアンテナにて送受信可能な周波数を用いて信号電波の送受信を行う第一Ｒ／Ｗアンテナと、変調した信号を前記第一Ｒ／Ｗアンテナより信号電波として送信させる第一Ｒ／Ｗ送信手段と、前記第一Ｒ／Ｗアンテナに発生する電気信号を復調し受信する第一Ｒ／Ｗ受信手段と、前記第二タグアンテナにて送受信可能な周波数を用いて信号電波を送受信するアンテナであって、前記ＲＦＩＤタグとの間の距離が、前記第一Ｒ／Ｗアンテナと前記ＲＦＩＤタグとの間の距離よりも短い位置に配置されるアンテナである第二Ｒ／Ｗアンテナと、変調した信号を前記第二Ｒ／Ｗアンテナより信号電波として送信させる第二Ｒ／Ｗ送信手段とを備えている。
【０００６】
また、請求項２に係る発明のＲＦＩＤタグシステムは、請求項１に記載の発明の構成に加えて、前記リーダライタは、所望のＲＦＩＤタグに内蔵されている前記ＲＦＩＤチップを識別するための固有ＩＤ を指定した信号である固有ＩＤ 指定信号を変調した後、前記第一Ｒ／Ｗ送信手段にて前記ＲＦＩＤタグに対して送信し、前記ＲＦＩＤタグは、前記第一タグアンテナにて発生した電気信号を前記チップ受信手段にて復調して受信し、前記チップ受信手段にて復調され受信された結果の信号が固有ＩＤ 指定信号であり、且つ、当該固有ＩＤ 指定信号にて指定された固有ＩＤ と、前記チップ記憶手段に記憶されている固有ＩＤ とが所定の関係を満たす場合に、前記チップ送信手段にて返答信号を変調して送信し、前記リーダライタは、前記第一Ｒ／Ｗ送信手段にて送信された固有ＩＤ 指定信号に応じて所望のＲＦＩＤタグより返信された返答信号を第一Ｒ／Ｗ受信手段にて復調し受信した場合に、当該返答信号を送信したＲＦＩＤタグが有する識別ＩＤを、Ｒ／Ｗ記憶手段を参照して抽出し、抽出した識別ＩＤを指定した信号である識別ＩＤ指定信号を変調した後、前記第二Ｒ／Ｗ送信手段にて前記ＲＦＩＤタグに対して送信し、前記ＲＦＩＤタグでは、前記リーダライタの前記第二Ｒ／Ｗ送信手段にて送信された信号電波が前記第二タグアンテナに照射されることにより、タグ電力供給手段が、前記タグ受信手段、前記タグ報知手段、及び前記タグ制御手段を駆動させるための電力を生成した後、前記タグ受信手段が、前記第二タグアンテナにて発生した電気信号を復調して受信し、前記タグ受信手段にて復調され受信された結果の信号が、識別ＩＤを指定した信号である識別ＩＤ指定信号であり、且つ、当該識別ＩＤと、前記タグ記憶手段に記憶されている識別ＩＤとが所定の関係を満たす場合に、前記タグ制御手段が、前記タグ報知手段を制御して報知を実行させることを特徴とする。
【発明の効果】
【０００７】
請求項１に係る発明のＲＦＩＤタグシステムでは、ＲＦＩＤタグは、ＲＦＩＤチップを駆動させるための第一タグアンテナとは別に、電力を生成する第二タグアンテナを備えている。また、リーダライタは、第一タグアンテナに信号電波を供給するための第一Ｒ／Ｗアンテナと、第二タグアンテナに信号電波を送信する第二Ｒ／Ｗアンテナを備えている。そして、第二Ｒ／Ｗアンテナは第一Ｒ／Ｗアンテナと比較して、よりＲＦＩＤタグの近くに配置されている。ここで、ＲＦＩＤタグが備える報知手段を駆動するための電力は、第二タグアンテナに信号電波が照射されることに基づいて生成されるが、第二Ｒ／ＷアンテナはＲＦＩＤタグの近くに配置されるので、第二Ｒ／Ｗアンテナより送信される信号電波の出力を抑えた状態でも、第二タグアンテナでは強い電力で信号電波を受信することが可能となる。以上より、リーダライタからの信号電波の送信電力を極力抑制しつつ、ＲＦＩＤタグが備えるタグ報知手段を駆動させることが可能となる。
【０００８】
また、請求項２に係る発明のＲＦＩＤタグシステムでは、リーダライタは、はじめに、探索するＲＦＩＤタグが内蔵するＲＦＩＤチップの固有ＩＤ を指定した固有ＩＤ 指定信号を送信することにより、所望のＲＦＩＤタグが存在するか否かを確認する。そして、所望のＲＦＩＤタグより返答信号が返信された場合に、所望のＲＦＩＤタグが存在していると判断して、当該ＲＦＩＤタグの報知手段より報知を実行させるために、ＲＦＩＤタグを識別するための識別ＩＤを指定した識別ＩＤ指定信号を送信する。これにより、請求項１に記載の発明の効果に加えて、リーダライタは、所望のＲＦＩＤタグが放射電波の放射圏内に存在することを確認したのち、当該ＲＦＩＤタグより報知を実行させることが可能となる。そしてリーダライタは、ＲＦＩＤタグの報知手段を駆動するために照射する電波を、ＲＦＩＤタグが放射電波の放射圏内に存在する場合にのみ送信すればよいため、継続してＲＦＩＤタグに対して報知手段駆動用の電波を送信する必要がなくなり、リーダライタの低消費電力化が可能となる。さらに、本ＲＦＩＤタグシステムでは、所望のＲＦＩＤタグが近くに存在しないことがあらかじめリーダライタにて確認できるため、ユーザは、所望とするＲＦＩＤタグがリーダライタより放射される電波の放射圏内に存在することをあらかじめ確認し、当該ＲＦＩＤタグに報知を実行させることが可能となる。従って、ＲＦＩＤタグが報知手段より報知を行っているにもかかわらず、ユーザが当該ＲＦＩＤタグを見落としてしまっているような状態が発生しても、ユーザは近傍に所望のＲＦＩＤタグが存在していることを確認できるので、確実にＲＦＩＤタグを探索することが可能となる。
【発明を実施するための最良の形態】
【０００９】
以下、本発明を具体化したＲＦＩＤタグ１、リーダライタ２１（ハンディリーダライタ５１、設置リーダライタ５２）、及びＲＦＩＤタグシステム５０の実施の形態について、図面を参照して説明する。なお、これらの図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００１０】
はじめに、図１を参照して、ＲＦＩＤタグ１及びリーダライタ２１（ハンディリーダライタ５１、設置リーダライタ５２）を使用したＲＦＩＤタグシステム５０の一例である、書籍探索システムの概要について説明する。図１は、書籍探索システムを示した模式図である。
【００１１】
図１に示すように、背表紙にＲＦＩＤタグ１が貼付された状態の書籍１００が、書棚に複数陳列されている。ＲＦＩＤタグ１にはＬＥＤ１７が設けられている。そしてユーザは、ハンディリーダライタ５１（詳細は後述する。）及び設置リーダライタ５２（詳細は後述する。）を使用し、これらの書籍の中から所望の書籍に貼付されたＲＦＩＤタグ１のＬＥＤ１７を点灯させることによって、当該書籍を探索する。
【００１２】
書籍探索方法の概要について説明する。ユーザははじめに、探索したい書籍の情報（表題「○○○○」、図書番号等、以下「書籍関連情報」という。）をハンディリーダライタ５１の入力部２７より入力する。そしてユーザは、ハンディリーダライタ５１における電波が放射する放射面（図１中ハンディリーダライタ５１の紙面手奥行き側）を書棚側に向けた状態とし、探索を開始する。
【００１３】
探索が開始されると、ハンディリーダライタ５１に付属するアンテナである第一Ｒ／Ｗアンテナ２５（図４参照、後述）より、探索したい書籍（以下「探索書籍」という。）に貼付されているＲＦＩＤタグ１（以下「探索ＲＦＩＤタグ」という。）を指定した信号電波が放射される。この状態でユーザは、ハンディリーダライタ５１より放射される信号電波の向きを徐々に変えながら、陳列されている状態の書籍に対して順番に信号電波を照射させる。そして、書棚に陳列された書籍のうち、探索書籍の背表紙に貼付された探索ＲＦＩＤタグ１に信号電波が照射される。
【００１４】
探索ＲＦＩＤタグ１に信号電波が照射された状態となったことをハンディリーダライタ５１が検出すると、次いで、ハンディリーダライタ５１は、ハンディリーダライタ５１と設置リーダライタ５２との間で通信可能とするために設けられている通信線５３、５４を介して、設置リーダライタ５２に対してデータが送信される。設置リーダライタ５２は、書棚の背面であって、書籍の背表紙に貼付された状態のＲＦＩＤタグ１に信号電波を照射することが可能な位置に配置されている。そして、ハンディリーダライタ５１よりデータを受信した設置リーダライタ５２は、付属するアンテナである第二Ｒ／Ｗアンテナ３１（図４参照、後述）より、探索ＲＦＩＤタグ１に対して信号電波を照射する。
【００１５】
設置リーダライタ５２からの信号電波が照射されたＲＦＩＤタグ１は、信号電波を復調した信号から、自身がハンディリーダライタ５１及び設置リーダライタ５２より指定された探索ＲＦＩＤタグであるかどうかを判断する。そして、探索ＲＦＩＤタグであると判断した場合、ＲＦＩＤタグ１は、ＬＥＤ１７を点灯させる。これを視認したユーザは、複数の書籍のうち、ＬＥＤ１７が点灯しているＲＦＩＤタグ１が貼付された書籍（表題：「○○○○」）を探索書籍と認識する。
【００１６】
ここでＲＦＩＤタグ１では、ＬＥＤ１７を点灯させるために必要な電力は、設置リーダライタ５２より放射される電波より生成している。詳細には、設置リーダライタ５２の第二Ｒ／Ｗアンテナ３１より放射された電波がＲＦＩＤタグ１のループアンテナに照射された場合に電磁誘導により発生する電流を蓄電し、ＬＥＤ１７を点灯させるための電力として使用している（詳細は後述する。）。
【００１７】
また図１に示すように、設置リーダライタ５２は書棚の背面に配置されているので、ユーザにより所持された状態で使用されるハンディリーダライタ５１と比較して、ＲＦＩＤタグ１との間の距離が近い。電波の電力はその伝搬距離に大きく依存し、伝搬距離が長い場合、電力の減衰量が大きくなってしまう。しかしながら上述の書籍探索システムでは、ＬＥＤ１７を点灯させるために必要な大電力を、ＲＦＩＤタグ１に対して近距離に配置された設置リーダライタ５２からの放射電波より生成している。これにより、リーダライタ２１より放射する電波の電力を極力抑えつつ、ＬＥＤ１７を点灯させることが可能としている。
【００１８】
次に、ＲＦＩＤタグ１及びリーダライタ２１の電気的構成について、図２〜図４を参照して説明する。図２は、ＲＦＩＤタグ１の電気的構成を示す模式図であり、図３は、ＲＦＩＤタグ１の電源構成を示す模式図であり、図４は、リーダライタ２１（ハンディリーダライタ５１及び設置リーダライタ５２）の電気的構成を示す模式図である。
【００１９】
はじめに、図２を参照し、ＲＦＩＤタグ１の電気的構成について説明する。図２に示すように、ＲＦＩＤタグ１は、ＲＦＩＤチップ４０と、報知制御用通信部４１と、ＲＦＩＤチップ４０に接続された第一アンテナ５と、報知制御用通信部４１に接続された第二アンテナ１５とを備えている。
【００２０】
これらのうち、第一アンテナ５及び第二アンテナ１５は、所謂ループアンテナにて構成されている。そして電波が照射された場合に、電磁誘導により電流を生じさせることが可能であるとともに、各々のアンテナに電気信号を送信することにより、所定の周波数の電波を放射させることが可能となっている。
【００２１】
なお第一アンテナ５及び第二アンテナ１５は、所定の周波数にて共振現象が発生するように双方のアンテナのループ径及び巻数が調整されている。これにより、リーダライタ２１（ハンディリーダライタ５１及び設置リーダライタ５２）より放射された信号電波が照射された場合に、効率よく電気信号を取り出すことが可能となっている。また、チップ変調部３より電気信号が送信された場合に、信号電波を効率よく放射させることが可能となっている。
【００２２】
なお、上述の第一アンテナ５及び第二アンテナ１５は、同一の径及び同一の巻数にて構成されていてもかまわないし、異なる径及び異なる巻数にて構成されていてもかまわない。また、第一アンテナ５及び第二アンテナ１５にて送受信可能な電波の周波数としては、リーダライタ２１と通信を行うことが可能であれば、特定の周波数に限定されず、さまざまな周波数が使用可能であることは勿論である。例えば、１３．５６ＭＨｚや２．４ＧＨｚの周波数が使用される。
【００２３】
次に、ＲＦＩＤチップ４０の電気的構成について説明する。ＲＦＩＤチップ４０は、通信処理や判断処理、表示処理等の制御を司るチップ制御部２と、第一アンテナ５より送信可能な変調信号を生成するチップ変調部３と、第一アンテナ５より受信した電気信号を復調するチップ復調部４と、不揮発性記憶素子であるチップ記憶部８と、チップ電源供給部６とから構成されている。
【００２４】
これらのうち、チップ復調部４は、第一アンテナ５に信号電波が照射されることにより発生した電気信号を復調するために設けられており、第一アンテナ５と電気的に接続している。また、復調した電気信号をチップ制御部２に対して送信することが可能なように、チップ復調部４はチップ制御部２と電気的に接続している。またチップ変調部３は、チップ制御部２より送信された電気信号を第一アンテナ５を介して送信させることが可能な変調信号に変調するために設けられている。そしてチップ変調部３は、チップ制御部２及び第一アンテナ５と電気的に接続している。
【００２５】
なお、チップ変調部３における変調方式、及びチップ復調部４における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００２６】
またチップ記憶部８には、固有ＩＤ 記憶領域９が設けられており、固有ＩＤ が記憶されている。固有ＩＤ は、ＲＦＩＤチップ４０を特定するために使用されるＩＤであり、ＲＦＩＤチップ４０に固有のＩＤである。そして、ＲＦＩＤチップ同士を識別するために使用される。そして、チップ制御部２よりチップ記憶部８に記憶されている情報を参照することが可能なように、チップ記憶部８はチップ制御部２と電気的に接続している。
【００２７】
またチップ電源供給部６は、第一アンテナ５に信号電波が照射されることにより発生した電流を蓄電し、チップ制御部２、チップ変調部３、及びチップ復調部４、及びチップ記憶部８を駆動させる電力として使用するために設けられている。
【００２８】
なお、本実施の形態においては、ＲＦＩＤタグ１がＲＦＩＤチップ４０を内蔵している構成を想定しているが、本発明は本構成に限定されない。従って、上述の各機能ブロックを別途デバイス（ＣＰＵ、変調回路、復調回路、メモリなど）により実現した構成であってもかまわない。
【００２９】
次に、報知制御用通信部４１について説明する。報知制御用通信部４１は、通信処理や判断処理、表示処理等の制御を司る報知制御部１２と、第二アンテナ１５より受信した電気信号を復調する報知復調部１４と、不揮発性記憶素子である報知記憶部１８と、ＬＥＤ１７と、報知電源供給部１６とから構成されている。
【００３０】
これらのうち、報知復調部１４は、第二アンテナ１５に信号電波が照射されることにより発生した電気信号を復調するために設けられている。そして報知復調部１４は、第二アンテナ１５と電気的に接続している。また、復調した電気信号を報知制御部１２に対して送信することが可能なように、報知復調部１４は報知制御部１２と電気的に接続している。
【００３１】
なお、報知復調部１４における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００３２】
また報知記憶部１８には、識別ＩＤ記憶領域１９が設けられており、識別ＩＤが記憶されている。識別ＩＤは、ＲＦＩＤタグ１を特定するために使用されるＩＤであり、ＲＦＩＤタグ１同士を識別するために使用される。そして、報知制御部１２より報知記憶部１８に記憶されている情報を参照することが可能なように、報知記憶部１８は報知制御部１２と電気的に接続している。
【００３３】
またＬＥＤ１７は、報知制御部１２からの制御信号に基づいて点灯／消灯を切り替えることが可能なように、報知制御部１２と電気的に接続している。また報知電源供給部１６は、第二アンテナ１５に信号電波が照射されることにより発生した電流を蓄電し、報知制御部１２、報知復調部１４、ＬＥＤ１７、及び報知記憶部１８を駆動させる電力として使用するために設けられている。
【００３４】
次に、図３を参照し、ＲＦＩＤタグ１の電源構成について説明する。図３に示すように、ＲＦＩＤチップ４０のチップ電源供給部６は、第一アンテナ５にて発生した電流を蓄電し、チップ制御部２、チップ変調部３、チップ復調部４、及びチップ記憶部８を駆動させるために、これらの機能ブロックに電力を供給する。これによりＲＦＩＤチップ４０は駆動し、各種処理を実行する。また、報知制御用通信部４１の報知電源供給部１６は、第二アンテナ１５にて発生した電流を蓄電し、報知制御部１２、報知復調部１４、ＬＥＤ１７、及び報知記憶部１８を駆動させるために、これらのデバイスに電力を供給する。これにより報知制御用通信部４１を構成する各デバイスは駆動し、各種処理を実行する。
【００３５】
次に、図４を参照して、リーダライタ２１の電気的構成について説明する。図４に示すように、リーダライタ２１は、ハンディリーダライタ５１と設置リーダライタ５２とから構成されている。図１に示すようにハンディリーダライタ５１は、ユーザにより所持された状態で、書棚の正面側から書籍の背表紙に貼付された状態のＲＦＩＤタグ１に信号電波を照射し、所望の書籍を探索するために使用される。また設置リーダライタ５２は、書棚の背面から書籍の背表紙に貼付された状態のＲＦＩＤタグ１に信号電波を照射し、所望の書籍を探索するために使用される。また、ハンディリーダライタ５１と設置リーダライタ５２とは、ハンディリーダライタ５１に接続した状態の通信線５３（図１参照）と設置リーダライタ５２に接続した状態の通信線５４（図１参照）とを介し、ネットワーク５５に接続された状態となっている。そして、ハンディリーダライタ５１の制御部である第一制御部２２と、設置リーダライタ５２の制御部である第二制御部４２とが、ネットワーク５５を介して通信を行うことが可能な状態となっている。
【００３６】
なお、ネットワーク５５としては、従来公知の様々なネットワークが使用可能である。例えば、インターネット、構内ＬＡＮ（イントラネット）、無線ＬＡＮ等が挙げられる。また、ハンディリーダライタ５１と設置リーダライタ５２とが１対１で通信可能なように接続した状態であってもよい。例えば、有線ケーブル（ＬＡＮケーブル、ＵＳＢ（Ｕｎｉｖｅｒｓａｌ  Ｓｅｒｉａｌ  Ｂｕｓ）ケーブル等）により接続した状態や、無線により接続した状態が挙げられる。
【００３７】
また、本実施の形態では、ハンディリーダライタ５１及び設置リーダライタ５２とは通信線５３、５４を介して通信可能な状態となっているが、其々のリーダライタとネットワーク５５との通信方法はこの方法に限定されず、従来公知の様々な通信方法が使用可能である。例えば、アンテナを介した無線通信によりネットワーク５５を介して通信可能な構成であってもよい。
【００３８】
ハンディリーダライタ５１の電気的構成について説明する。ハンディリーダライタ５１は、通信処理や判断処理等の制御を司る第一制御部２２と、ループ形状を有するアンテナより構成される第一Ｒ／Ｗアンテナ２５と、第一Ｒ／Ｗアンテナ２５より送信可能な変調信号を生成する第一変調部２３と、第一Ｒ／Ｗアンテナ２５より受信した信号を復調する第一復調部２４と、入力部２７と、不揮発性記憶素子である第一記憶部２８とから構成されている。
【００３９】
第一Ｒ／Ｗアンテナ２５は、所謂ループアンテナにて構成されている。そして電波が照射された場合に、電磁誘導により第一Ｒ／Ｗアンテナ２５に電流を生じさせることが可能であるとともに、第一Ｒ／Ｗアンテナ２５に電気信号を送信することにより、所望の信号電波を放射させることが可能となっている。
【００４０】
なお第一Ｒ／Ｗアンテナ２５は、所定の周波数にて共振現象が発生するようにアンテナのループ径及び巻数が調整されている。これにより、ＲＦＩＤタグ１より放射された信号電波が照射された場合に、効率よく電気信号を取り出すことが可能となっている。また、第一変調部２３より電気信号が送信された場合に、第一Ｒ／Ｗアンテナより信号電波を効率よく放射させることが可能となっている。
【００４１】
また、第一Ｒ／Ｗアンテナ２５は、ＲＦＩＤタグ１が備える第一アンテナ５と信号電波の送受信が可能なように、ループアンテナの径や巻数が調整されている。これにより、ハンディリーダライタ５１の第一制御部２２は、第一アンテナ５が接続された状態のＲＦＩＤチップ４０と通信を行うことが可能となっている。
【００４２】
また、第一Ｒ／Ｗアンテナ２５にて送受信可能な電波の周波数としては、第一アンテナ５と通信可能であれば、特定の周波数に限定されずさまざまな周波数が使用可能であることは勿論である。例えば、１３．５６ＭＨｚや２．４ＧＨｚの周波数が使用される。
【００４３】
また第一復調部２４は、第一Ｒ／Ｗアンテナ２５に電波が照射されることにより発生した電気信号を復調するために設けられている。そして第一復調部２４は、第一Ｒ／Ｗアンテナ２５と電気的に接続している。また、復調した電気信号を第一制御部２２に対して送信することが可能なように、第一復調部２４は第一制御部２２と電気的に接続している。また第一変調部２３は、第一制御部２２より送信された電気信号を第一Ｒ／Ｗアンテナ２５を介して送信させることが可能な変調信号に変調するために設けられている。そして第一変調部２３は、第一制御部２２及び第一Ｒ／Ｗアンテナ２５と電気的に接続している。
【００４４】
なお、第一変調部２３における変調方式、及び第一復調部２４における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００４５】
また入力部２７は、ユーザが探索書籍の書籍関連情報を入力するために設けられており、押ボタンやタッチセンサ等により構成されている。
【００４６】
また第一記憶部２８には、固有ＩＤ 割当情報記憶領域２９が設けられている。固有ＩＤ 割当情報記憶領域２９には、ＲＦＩＤタグ１のチップ記憶部８（図２参照）に記憶されている固有ＩＤ と、当該ＲＦＩＤタグ１が貼付されている書籍の書籍関連情報とが対応付けられた情報である固有ＩＤ 割当情報が記憶される。固有ＩＤ 割当情報は、入力部２７を介してユーザにより探索書籍の書籍関連情報が入力された場合において、該当する書籍に貼付されているＲＦＩＤタグ１に内蔵されたＲＦＩＤチップ４０の固有ＩＤ を検索するために、第一制御部２２より参照される。そして、第一制御部２２より第一記憶部２８に記憶されている各情報を参照することが可能なように、第一記憶部２８は第一制御部２２と電気的に接続している。
【００４７】
次に、リーダライタ２１を構成する設置リーダライタ５２の電気的構成について説明する。設置リーダライタ５２は、通信処理や判断処理等の全体の制御を司る第二制御部４２と、ループ形状を有するアンテナより構成される第二Ｒ／Ｗアンテナ３１と、第二Ｒ／Ｗアンテナ３１より送信可能な変調信号を生成する第二変調部４３と、不揮発性記憶素子である第二記憶部４８とから構成されている。
【００４８】
第二Ｒ／Ｗアンテナ３１は、所謂ループアンテナにて構成されている。そして電波が照射された場合に、電磁誘導により第二Ｒ／Ｗアンテナ３１に電流を生じさせることが可能であるとともに、第二Ｒ／Ｗアンテナ３１に電気信号を送信することにより、所望の信号電波を放射させることが可能であるように構成されている。
【００４９】
なお第二Ｒ／Ｗアンテナ３１は、所定の周波数にて共振現象が発生するようにアンテナのループ径及び巻数が調整されている。これにより、ＲＦＩＤタグ１より放射された信号電波が照射された場合に、効率よく電気信号を取り出すことが可能となっている。また、第二変調部４３より電気信号が送信された場合に、信号電波を効率よく放射させることが可能となっている。
【００５０】
なお、第二Ｒ／Ｗアンテナ３１は、ＲＦＩＤタグ１が備える第二アンテナ１５と信号電波の送受信が可能なように、ループアンテナの径や巻数が調整されている。これにより、設置リーダライタ５２の第二制御部４２は、第二アンテナ１５が接続された状態の報知制御用通信部４１と通信を行うことが可能となっている。
【００５１】
また、第二Ｒ／Ｗアンテナ３１にて送受信可能な電波の周波数としては、第二アンテナ１５と通信可能であれば、特定の周波数に限定されず、さまざまな周波数が使用可能であることは勿論である。例えば、１３．５６ＭＨｚや２．４ＧＨｚの周波数が使用される。
【００５２】
また第二変調部４３は、第二制御部４２より送信された電気信号を第二Ｒ／Ｗアンテナ３１を介して送信させることが可能な変調信号に変調するために設けられており、第二制御部４２及び第二Ｒ／Ｗアンテナ３１と電気的に接続している。
【００５３】
なお、第二変調部４３における変調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００５４】
また第二記憶部４８には、照合情報記憶領域４９が設けられている。照合情報記憶領域４９には、ＲＦＩＤチップ４０のチップ記憶部８（図２参照）に記憶されている固有ＩＤ と、当該ＲＦＩＤチップ４０が内蔵されたＲＦＩＤタグ１の報知制御用通信部４１中報知記憶部１８に記憶されている識別ＩＤとが対応付けられた情報である固有ＩＤ −識別ＩＤ照合情報が記憶される。固有ＩＤ −識別ＩＤ照合情報は、所定の固有ＩＤ を有するＲＦＩＤチップ４０が内蔵されたＲＦＩＤタグ１の識別ＩＤを検索し、当該ＲＦＩＤタグ１が備えるＬＥＤ１７を点灯させるために、第二制御部４２より参照される。そして、第二制御部４２より第二記憶部４８に記憶されている各情報を参照することが可能なように、第二記憶部４８は第二制御部４２と電気的に接続している。
【００５５】
次に、ＲＦＩＤタグ１中ＲＦＩＤチップ４０のチップ制御部２、報知制御用通信部４１の報知制御部１２、ハンディリーダライタ５１の第一制御部２２、及び設置リーダライタ５２の第二制御部４２により実行される処理について、図５〜図８を参照して説明する。図５は、ハンディリーダライタ５１の第一制御部２２にて実行されるＲＦＩＤタグ探索処理のフローチャートであり、図６は、ＲＦＩＤタグ１のチップ制御部２にて実行される報知処理のフローチャートであり、図７は、設置リーダライタ５２の第二制御部４２にて実行されるＲＦＩＤタグ探索処理のフローチャートであり、図８は、ＲＦＩＤタグ１の報知制御部１２にて実行される報知処理のフローチャートである。
【００５６】
なお、ハンディリーダライタ５１の第一制御部２２、及び設置リーダライタ５２の第二制御部４２は、電源投入により、図５及び図７に示す処理を繰り返し実行する。また、ＲＦＩＤタグ１中ＲＦＩＤチップ４０のチップ制御部２は、ハンディリーダライタ５１の第一Ｒ／Ｗアンテナ２５より放射された信号電波が第一アンテナ５に照射されてチップ電源供給部６（図３参照）にて駆動電力が生成され、チップ制御部２に電力が供給された場合に、図６に示す処理を実行する。また、ＲＦＩＤタグ１中報知制御用通信部４１の報知制御部１２は、設置リーダライタ５２の第二Ｒ／Ｗアンテナ３１より放射された信号電波が第二アンテナ１５に照射されて報知電源供給部１６（図３参照）にて駆動電力が生成され、報知制御部１２に電力が供給された場合に、図８に示す処理を実行する。
【００５７】
図５に示すように、ハンディリーダライタ５１の第一制御部２２は、電源が投入された状態で、入力部２７を監視し、ユーザにより入力部２７を介して入力操作がなされるまで待機している（Ｓ１１：ＮＯ）。
【００５８】
そして、入力部２７を介してユーザにより探索書籍に関連する書籍関連情報の入力操作がなされ、これを第一制御部２２が検出した場合（Ｓ１１：ＹＥＳ）、第一制御部２２は、第一記憶部２８の固有ＩＤ 割当情報記憶領域２９に記憶されている固有ＩＤ 割当情報を参照し、入力された探索書籍関連情報に相当する書籍に貼付されているＲＦＩＤタグ１の固有ＩＤ を特定する（Ｓ１２）。
【００５９】
次いでユーザにより、ハンディリーダライタ５１における第一Ｒ／Ｗアンテナ２５が配置され信号電波が放射される放射面が、書棚側に向けられる。そしてこの状態で、第一制御部２２は、信号電波の放射圏内に存在するＲＦＩＤタグ１のうち、Ｓ１２にて特定した固有ＩＤ を指定した固有ＩＤ 指定信号を第一Ｒ／Ｗアンテナ２５より送信させるために、第一変調部２３に対して固有ＩＤ 指定信号を送信する（Ｓ１３）。
【００６０】
第一制御部２２より送信された固有ＩＤ 指定信号は、第一変調部２３において、第一Ｒ／Ｗアンテナ２５より放射させることが可能な周波数に変調される。そして変調された固有ＩＤ 指定信号が、第一Ｒ／Ｗアンテナ２５より信号電波として放射される。なお、放射される信号電波は、書棚に陳列された状態の書籍に貼付されているＲＦＩＤタグ１にて受信することが可能な程度の送信電力に増幅されて送信される。
【００６１】
一方、ＲＦＩＤタグ１のＲＦＩＤチップ４０を構成するチップ制御部２では、ハンディリーダライタ５１の第一Ｒ／Ｗアンテナ２５より放射された信号電波が第一アンテナ５に照射された場合、チップ電源供給部６がチップ制御部２等の駆動のために必要な電力を生成する。これによりチップ制御部２が起動し、図６における処理を開始する。
【００６２】
図６に示すように、起動したチップ制御部２は、第一アンテナ５により受信し、チップ復調部４にて復調された結果の復調信号を受信するまで待機している。そして復調信号を受信し、受信した信号がハンディリーダライタ５１より送信された固有ＩＤ 指定信号（Ｓ１３、図５参照）であると判断した場合には（Ｓ４１：ＹＥＳ）、次いで、受信した固有ＩＤ 指定信号にて指定されている固有ＩＤ と、チップ記憶部８の固有ＩＤ 記憶領域９に記憶されている固有ＩＤ とを比較する。
【００６３】
受信した固有ＩＤ 指定信号にて指定された固有ＩＤ と、チップ記憶部８の固有ＩＤ 記憶領域９より読みだした固有ＩＤ とが一致する場合には（Ｓ４３：ＹＥＳ）、ハンディリーダライタ５１に対して返答信号を返信し、ハンディリーダライタ５１に対して固有ＩＤ 指定信号を受信した旨を通知する必要がある。そこでチップ制御部２は、読みだした固有ＩＤ の情報を含む固有ＩＤ 返答信号をチップ変調部３に対して送信する（Ｓ４５）。そしてＲＦＩＤチップ４０のチップ制御部２は報知処理を終了する。
【００６４】
チップ制御部２より送信された固有ＩＤ 返答信号は、チップ変調部３において、第一アンテナ５より放射させることが可能な周波数に変調される。そして、変調された固有ＩＤ 返答信号が、第一アンテナ５より信号電波として放射される。
【００６５】
一方チップ制御部２は、復調信号がリーダライタ２１より送信された固有ＩＤ 指定信号でない場合には（Ｓ４１：ＮＯ）、Ｓ４１に戻って引き続き継続して固有ＩＤ 指定信号を受信するまで待機する。また、復調信号が固有ＩＤ 指定信号の場合であっても（Ｓ４１：ＹＥＳ）、受信した固有ＩＤ 指定信号にて指定された固有ＩＤ と、チップ記憶部８の固有ＩＤ 記憶領域９より読みだした固有ＩＤ とが一致しない場合には（Ｓ４３：ＮＯ）、チップ制御部２は報知処理を終了する。
【００６６】
なお、上述の処理においては、受信した固有ＩＤ 指定信号にて指定された固有ＩＤ と、チップ記憶部８の固有ＩＤ 記憶領域９より読みだした固有ＩＤ とが一致するか否かを判断しているが、判断方法はこの方法に限定されない。従ってＲＦＩＤチップ４０のチップ制御部２は、受信した固有ＩＤ と読みだした固有ＩＤ との関係が所定の規則に則っている場合に、リーダライタ２１に対して固有ＩＤ 指定信号を受信した旨を通知する必要があると判断し、固有ＩＤ 返答信号をチップ変調部３に対して送信してもよい。
【００６７】
一方、図５に示すように、固有ＩＤ 指定信号を送信した（Ｓ１３参照）後のハンディリーダライタ５１の第一制御部２２は、ＲＦＩＤタグ１より固有ＩＤ 返答信号を受信するまで継続して固有ＩＤ 指定信号の送信処理を繰り返す（Ｓ１５：ＮＯ→Ｓ１３）。そして、ＲＦＩＤタグ１からの信号電波を第一Ｒ／Ｗアンテナ２５が受け、第一復調部２４にて復調され、復調された結果の復調信号が、Ｓ４５（図６参照）の処理に基づいてＲＦＩＤタグ１より送信された固有ＩＤ 返答信号である場合には（Ｓ１５：ＹＥＳ）、次いで第一制御部２２は、受信した固有ＩＤ 返答信号に含まれている固有ＩＤ と、Ｓ１２において特定した固有ＩＤ とを比較する（Ｓ１７）。そして双方が一致する場合には（Ｓ１７：ＹＥＳ）、ハンディリーダライタ５１の第一Ｒ／Ｗアンテナ２５より放射された固有ＩＤ 指定信号の電波の放射圏内に、探索書籍及び探索ＲＦＩＤタグ１が存在していると判断する。
【００６８】
一方、復調された結果の復調信号が固有ＩＤ 返答信号であっても（Ｓ１５：ＹＥＳ）、含まれている固有ＩＤ が、Ｓ１２において特定した固有ＩＤ と一致しない場合には（Ｓ１７：ＮＯ）、ハンディリーダライタ５１の第一Ｒ／Ｗアンテナ２５より放射されている信号電波の放射圏内に、探索書籍及び探索ＲＦＩＤタグ１が存在しておらず、探索対象外の書籍に貼付されているＲＦＩＤタグ１より返信された固有ＩＤ 返信信号であると判断する。このような場合には、ユーザによりハンディリーダライタ５１の向きが調整され、電波の放射方向が変更される。そして、Ｓ１３に戻り、信号電波の放射圏内に探索書籍及び探索ＲＦＩＤタグ１が存在する状態となるまで、上述の処理が繰り返し実行される。
【００６９】
なお、上述の処理においては、受信した固有ＩＤ と、Ｓ１２において検索した固有ＩＤ とが一致しているか否かを判断しているが、判断方法はこの方法に限定されない。従ってハンディリーダライタ５１の第一制御部２２は、受信した固有ＩＤ とＳ１２にて特定した固有ＩＤ との関係が所定の規則に則っている場合に、ハンディリーダライタ５１より放射された固有ＩＤ 指定信号の電波の放射圏内に、探索書籍及び探索ＲＦＩＤタグ１が存在していると判断してもよい。
【００７０】
Ｓ１７において、ハンディリーダライタ５１より放射されている固有ＩＤ 指定電波の放射圏内に、探索書籍及び探索ＲＦＩＤタグ１が存在していると判断された場合（Ｓ１７：ＹＥＳ）、次いで第一制御部２２は、探索ＲＦＩＤタグ１に設けられているＬＥＤを点灯させるために、設置リーダライタ５２に対して識別ＩＤ指定信号の送信指示を行う（Ｓ１９）。具体的には、ネットワーク５５を介し、設置リーダライタ５２の第二制御部４２に対して、Ｓ１２にて特定した固定ＩＤを指定した識別ＩＤ送信指示のパケットを送信する。そして第一制御部２２はＳ１１に戻って上述の処理を繰り返す。
【００７１】
一方、図７に示すように、設置リーダライタ５２の第二制御部４２は、電源が投入されている状態で、継続してネットワーク５５より受信するパケットを監視している。そして、ハンディリーダライタ５１より識別ＩＤ指定信号の送信指示のパケットを受信するまで待機している（Ｓ３１：ＮＯ）。
【００７２】
そして、Ｓ１９（図５参照）の処理に基づき、ハンディリーダライタ５１より送信されたパケットを受信し、識別ＩＤ指定信号の送信指示のパケットであると判断した場合に（Ｓ３１：ＹＥＳ）、第二制御部４２は、受信したパケットにて指定された固有ＩＤ のＲＦＩＤチップ４０を内蔵したＲＦＩＤタグ１を、探索ＲＦＩＤタグ１として特定する。そして探索ＲＦＩＤタグ１のＬＥＤ１７を点灯させるために、当該固有ＩＤ に対応する識別ＩＤを検索し特定する。具体的には、第二記憶部４８の照合情報記憶領域４９に記憶されている固有ＩＤ −識別ＩＤ照合情報を参照し、ハンディリーダライタ５１からの受信パケットにて指定された固有ＩＤ に対応する識別ＩＤを探索ＲＦＩＤタグ１の識別ＩＤとして特定する（Ｓ３３）。
【００７３】
次いで第二制御部４２は、探索ＲＦＩＤタグ１が備えるＬＥＤ１７を点灯させるために、探索ＲＦＩＤタグ１の識別ＩＤを指定した識別ＩＤ指定信号を第二変調部４３に対して送信する（Ｓ３５）。送信された識別ＩＤ指定信号は、第二変調部４３において、第二Ｒ／Ｗアンテナ３１より放射させることが可能な周波数に変調される。そして、変調された識別ＩＤ指定信号が、第二Ｒ／Ｗアンテナ３１より信号電波として放射される。なお、放射される信号電波は、探索ＲＦＩＤにてＬＥＤ１７を点灯させるために必要な電力を生成することが可能な程度の送信電力に増幅されて送信される。ここで、設置リーダライタ５２はＲＦＩＤタグ１の近傍に配置されているので、送信電力を極力抑えた状態で送信することが可能となっている。その後第二制御部４２は、Ｓ３１に戻って上述の処理を繰り返し実行する。
【００７４】
一方、ＲＦＩＤタグ１の報知制御用通信部４１を構成する報知制御部１２では、設置リーダライタ５２の第二Ｒ／Ｗアンテナ３１より放射された信号電波が第二アンテナ１５に照射された場合、報知電源供給部１６が報知制御部１２等の駆動のために必要な電力を生成する。これにより報知制御部１２が起動し、図８における処理を開始する。
【００７５】
図８に示すように、起動した報知制御部１２は、はじめに、第二アンテナ１５により受信し、報知復調部１４にて復調された結果の復調信号を受信するまで待機している（Ｓ６１：ＮＯ）。そして復調信号を受信し、受信した信号が設置リーダライタ５２より送信された識別ＩＤ指定信号（Ｓ３５、図７参照）であると判断した場合には（Ｓ６１：ＹＥＳ）、次いで、報知記憶部１８の識別ＩＤ記憶領域１９に記憶されている識別ＩＤと、受信した識別ＩＤ指定信号にて指定された識別ＩＤとを比較する。
【００７６】
そして、受信した識別ＩＤ指定信号にて指定された識別ＩＤと、読みだした識別ＩＤとが一致する場合には（Ｓ６３：ＹＥＳ）、報知制御部１２は、設置リーダライタ５２よりＬＥＤ１７を点灯させる旨の指示がなされたと判断し、ＬＥＤ１７を点灯させる（Ｓ６５）。そし報知制御部１２はＲＦＩＤタグ検索処理を終了する。
【００７７】
なお、ＬＥＤ１７を点灯させるために必要な電力は、設置リーダライタの第二Ｒ／Ｗアンテナ３１より第二アンテナ１５に対して照射された信号電波に基づき、報知電源供給部１６にて生成される。ここで、第二Ｒ／Ｗアンテナ３１から放射される信号電波は、ＲＦＩＤタグ１にてＬＥＤ１７を点灯させるために必要な電力を生成するのに十分な強度に調整されて送信されている。従って報知制御部１２は、報知電源供給部１６にて生成された電力を使用してＬＥＤ１７を点灯させることが可能となっている。
【００７８】
一方報知制御部１２は、受信した識別ＩＤ指定信号にて指定された識別ＩＤと、報知記憶部１８の識別ＩＤ記憶領域１９より読みだした識別ＩＤとが一致しない場合には（Ｓ６３：ＮＯ）、自身がリーダライタ２１より探索されているＲＦＩＤタグではないものと判断する。この場合、ＬＥＤ１７を点灯させる必要はないので、以降特段の処理を行うことなく報知処理を終了する。
【００７９】
以上説明したように、本実施の形態では、リーダライタ２１（ハンディリーダライタ５１及び設置リーダライタ５２）を使用してＲＦＩＤタグ１のＬＥＤ１７を点灯させることにより、当該ＲＦＩＤタグ１が貼付された状態の書籍を探索書籍として認識することが可能となる。ここでリーダライタ２１は、はじめに固有ＩＤ 指定信号を送信して探索ＲＦＩＤが信号電波の放射圏内に存在しているか否かを確認し、探索ＲＦＩＤが存在していることを確認した後、識別ＩＤ指定信号を送信して探索ＲＦＩＤが備えるＬＥＤ１７を点灯させる。これによりリーダライタは、ＬＥＤ１７を点灯させるための電力をＲＦＩＤタグ１にて生成させるために必要な電力の送信電波を出し続ける必要がなくなるため、リーダライタ２１の低消費電力化が可能となる。
【００８０】
さらに、ＲＦＩＤタグ１にてＬＥＤ１７を点灯させるための電力は、設置リーダライタ５２が備える第二Ｒ／Ｗアンテナ３１より放射された信号電波に基づいて生成される。ここで、設置リーダライタ５２はＲＦＩＤタグ１の近傍に配置されているので、比較的小さい出力の信号電波を放射した場合でも、ＲＦＩＤタグにてＬＥＤ１７を点灯させるために必要な電力を生成することが可能となる。これにより、設置リーダライタ５２は、放射させる信号電波の電力を極力抑制しつつ、ＲＦＩＤタグにてＬＥＤ１７を点灯させることが可能となる。これにより、リーダライタ２１の消費電力をさらに抑制することが可能となる。
【００８１】
さらに、ハンディリーダライタ５１から放射される信号電波の放射圏内に探索ＲＦＩＤタグ１が存在するか否かを判断することが可能となる。これにより、所望のＲＦＩＤタグが近くに存在しているか否かがあらかじめリーダライタにて確認できるため、ユーザは、所望とするＲＦＩＤタグがリーダライタより放射される電波の放射圏内に存在することをあらかじめ確認し、当該ＲＦＩＤタグに報知を実行させることが可能となる。従って、ＲＦＩＤタグが報知手段より報知を行っているにもかかわらず、ユーザが当該ＲＦＩＤタグを見落としてしまっているような状態が発生しても、ユーザは近傍に所望のＲＦＩＤタグが存在していることを確認できるので、確実にＲＦＩＤタグを探索することが可能となる。
【００８２】
なお、図２の第一アンテナ５が、本発明の「第一タグアンテナ」に相当し、第二アンテナ１５が、本発明の「第二タグアンテナ」に相当し、報知記憶部１８が、本発明の「タグ記憶手段」に相当し、チップ記憶部８が、本発明の「チップ記憶手段」に相当し、ＬＥＤ１７が、本発明の「タグ報知手段」に相当し、報知電源供給部１６が、本発明の「タグ電力供給手段」に相当する。また、図８のＳ６１において、報知復調部１４にて復調された結果の信号を受信する処理を行う報知制御部１２が、本発明の「タグ受信手段」に相当し、Ｓ６５においてＬＥＤ１７を点灯させる制御を行う報知制御部１２が、本発明の「タグ制御手段」に相当する。また、図６のＳ４１において、チップ復調部４にて復調された結果の信号を受信する処理を行うチップ制御部２が、本発明の「チップ受信手段」に相当し、Ｓ４５において、チップ変調部３に信号を送信し、変調信号を第一アンテナ５より送信させる処理を行うチップ制御部２が、本発明の「チップ送信手段」に相当する。
【００８３】
また、図４に示す第一記憶部２８が、本発明の「Ｒ／Ｗ記憶手段」に相当し、図５のＳ１３において、第一変調部２３に信号を送信し、第一Ｒ／Ｗアンテナ２５より変調信号を送信させる処理を行う第一制御部２２が、本発明の「第一Ｒ／Ｗ送信手段」に相当し、Ｓ１５において、第一復調部２４にて復調された結果の信号を受信する処理を行う第一制御部２２が、本発明の「第一Ｒ／Ｗ受信手段」に相当し、図７のＳ３５において、第二変調部４３に信号を送信し、第二Ｒ／Ｗアンテナ３１より変調信号を送信させる処理を行う第二制御部４２が、本発明の「第二Ｒ／Ｗ送信手段」に相当する。
【００８４】
なお、本発明は上記実施の形態に限定されるものではなく、種々の変更が可能である。
【００８５】
上述の実施の形態では、ＲＦＩＤタグ１は報知手段としてＬＥＤ１７を備えていたが、報知手段はＬＥＤに限定されない。従って、他の報知手段を実現するためのデバイス（ブザー等）を備えた構成であってもよい。
【００８６】
上述の実施の形態では、設置リーダライタ５２は書棚の背面に設置されて使用される構成としたが、本発明はこの構成に限定されない。ＲＦＩＤタグ１が備えるＬＥＤ１７が点灯可能な強度の信号電波を送信することが可能であれば、設置リーダライタ５２は他の場所に設置されていてもかまわないし、移動可能に配置されていてもかまわない。
【００８７】
また、上述の実施の形態では、ＲＦＩＤタグ１は、識別指定信号を受信した場合に報知電源供給部１６にて電力を生成し、生成した電力によりＬＥＤ１７を点灯させていたが、ＬＥＤ１７を点灯させるために必要な電力の生成方法はこの方法に限定されない。従って、設置リーダライタ５２は、はじめにＬＥＤ１７点灯のために必要な電波をＲＦＩＤタグ１に対して送信し、ＲＦＩＤタグ１においてＬＥＤ１７を点灯させるために十分な電力が生成された後、識別ＩＤ指定信号を送信してもかまわない。本方法により設置リーダライタ５２は、識別ＩＤ指定信号の信号電波の送信電力を抑えることが可能となるという効果を奏する。なお、この場合において、ＬＥＤ１７点灯のために必要な電波は変調信号電波であってもよいし、無変調電波であってもよい。
【図面の簡単な説明】
【００８８】
【図１】書籍探索システムの模式図である。
【図２】ＲＦＩＤタグ１の電気的構成を示す模式図である。
【図３】ＲＦＩＤタグ１の電源構成を示す模式図である。
【図４】リーダライタ２１の電気的構成を示す模式図である。
【図５】ハンディリーダライタ５１の第一制御部２２にて実行されるＲＦＩＤタグ探索処理のフローチャートである。
【図６】ＲＦＩＤタグ１のチップ制御部２にて実行される報知処理のフローチャートである。
【図７】設置リーダライタ５２の第二制御部４２にて実行されるＲＦＩＤタグ探索処理のフローチャートである。
【図８】ＲＦＩＤタグ１の報知制御部１２にて実行される報知処理のフローチャートである。
【符号の説明】
【００８９】
１    ＲＦＩＤタグ
２    チップ制御部
３    チップ変調部
４    チップ復調部
５    第一アンテナ
６    チップ電源供給部
８    チップ記憶部
１２  報知制御部
１４  報知復調部
１５  第二アンテナ
１６  報知電源供給部
１７  ＬＥＤ
１８  報知記憶部
２１  リーダライタ
２２  第一制御部
２３  第一変調部
２４  第一復調部
２５  第一Ｒ／Ｗアンテナ
２７  入力部
２８  第一記憶部
３１  第二Ｒ／Ｗアンテナ
４０  ＲＦＩＤチップ
４１  報知制御用通信部
４２  第二制御部
４３  第二変調部
４８  第二記憶部
５０  ＲＦＩＤタグシステム
５１  ハンディリーダライタ
５２  設置リーダライタ
５３  ネットワーク
【図１】
0005151714.tif 000002
【図２】
0005151714.tif 000003
【図３】
0005151714.tif 000004
【図４】
0005151714.tif 000005
【図５】
0005151714.tif 000006
【図６】
0005151714.tif 000007
【図７】
0005151714.tif 000008
【図８】
0005151714.tif 000009